(57)【要約】【課題】メニューを種別にすみ分けることにより簡単かつ安全な表示操作をおこなうこと。【解決手段】アイコンは、ニュートラルアイコン７１１のほか、運転支援情報を表示するための運転支援情報アイコン８０１と、コンテンツ情報を表示するためのコンテンツ情報アイコン８０２に区分けされている。運転支援情報アイコン８０１としては、地図データを表示する地図アイコン８１１と、地図データ上の特定地点をサーチするための地点サーチアイコン８１２がある。この地図アイコン８１１と地点サーチアイコン８１２は、操作デバイス３０６を進行方向Ｆに摺動することによってフォーカス領域７０１に表示することができる。そして、操作デバイス３０６の決定ボタン４０１を押下することにより、フォーカス領域７０１に表示されているアイコンで表現されている情報を表示することができる。【選択図】        図８
2006103473.tif 000002
【特許請求の範囲】
【請求項１】
移動体内に設けられ表示画面を有する表示手段と、
前記移動体の運転支援に関する情報と、コンテンツ情報とのうち、いずれか一方の情報を選択するように操作する操作手段と、
前記表示画面を制御して、前記操作手段によって選択された情報を表示する表示制御手段と、
を備えることを特徴とする情報表示装置。
【請求項２】
前記操作手段は、
前記移動体の運転支援に関する情報に対応する第１の方向と前記コンテンツ情報に対応する第２の方向とに摺動自在に操作され、
前記表示制御手段は、
前記操作手段を摺動操作した方向に対応する情報を表示することを特徴とする請求項１に記載の情報表示装置。
【請求項３】
前記情報表示装置は、さらに、前記ユーザが前記操作手段を操作するか否かを検出するユーザ検出手段を備え、
前記表示制御手段は、
前記ユーザ検出手段によって前記ユーザが前記操作手段を操作すると検出された場合、前記表示画面を制御して、前記操作手段による情報の選択に先立って、前記移動体の運転支援に関する情報のシンボルと前記コンテンツ情報のシンボルとを含むメニュー情報を表示し、
前記操作手段は、
前記メニュー情報の中から任意の情報のシンボルを選択するように操作することを特徴とする請求項１または２に記載の情報表示装置。
【請求項４】
前記ユーザ検出手段は、前記操作手段を操作するユーザが、前記移動体の運転者と同乗者のうちいずれであるかを検出し、
前記表示制御手段は、
前記操作手段を操作するユーザが前記移動体の運転者であるか同乗者であるかによって、前記表示画面を制御することを特徴とする請求項３に記載の情報表示装置。
【請求項５】
前記表示手段は、
前記移動体の運転席側に配置されている他の表示画面を有し、
前記表示制御手段は、
少なくとも前記他の表示画面を制御して、前記移動体の運転支援に関する情報のシンボルと、前記コンテンツ情報のシンボルとを含むメニュー情報を表示し、
前記操作手段は、
前記メニュー情報の中から任意の情報のシンボルを選択するように操作することを特徴とする請求項１〜４のいずれか一つに記載の情報表示装置。
【発明の詳細な説明】
【技術分野】
【０００１】
この発明は、情報を表示する情報表示装置に関する。ただし、この発明の実施の形態にかかる利用は、上記情報表示装置に限られない。
【背景技術】
【０００２】
従来、移動体の運転を支援する情報を提供する情報表示装置として、特許文献１に記載されるような車載のナビゲーション装置が知られている。このような車載のナビゲーション装置においては、ディスプレイに移動体の運転を支援する情報としての地図データのみならず、ＤＶＤやＨＤなどの記録媒体に記録されている映画や、放送電波を受信することによって得られるテレビ番組などの映像コンテンツを視聴することができるようになっているものもある。
【特許文献１】特開平１０−３０１４３４号公報
【発明の開示】
【発明が解決しようとする課題】
【０００３】
しかしながら、上述した従来技術では、所望の情報を表示させたい場合、地図やコンテンツなどの表示可能な多数の情報の中から選択しなければならないため、選択操作が面倒であるという問題があった。特に、操作ボタンを多数設けると、どのボタンを操作すればよいかという咄嗟の判断がつきにくいという問題があった。特に運転者にとっては、運転中に必要のない情報のアイコンまで選択肢として表示されるため、選択操作作業に時間がかかり、運転中に視線移動をせざるを得なくなるという問題があった。
【課題を解決するための手段】
【０００４】
上述した課題を解決し、目的を達成するため、請求項１の発明にかかる情報表示装置は、移動体内に設けられ表示画面を有する表示手段と、前記移動体の運転支援に関する情報と、コンテンツ情報とのうち、いずれか一方の情報を選択するように操作する操作手段と、前記表示画面を制御して、前記操作手段によって選択された情報を表示する表示制御手段と、を備えることを特徴とする。
【発明を実施するための最良の形態】
【０００５】
以下に添付図面を参照して、この発明にかかる情報表示装置の好適な実施の形態を詳細に説明する。
【０００６】
（情報表示装置の機能的構成）
まず、情報表示装置の機能的構成について説明する。図１は、情報表示装置の機能的構成を示すブロック図である。図１において、情報表示装置１００は、表示部１０１と、操作部１０２と、表示制御部１０３と、ユーザ検出部１０４と、を備えている。
【０００７】
まず、表示部１０１は、自動車などの移動体内に設けられており、表示画面を有している。表示部１０１は、ディスプレイによって実現することができる。ディスプレイは、たとえば、自動車の前部座席手前に設けられているダッシュボードの中央に設置することができる。さらに、ダッシュボードの中央位置とともに運転席の真正面の位置にも設置することができる。ダッシュボードの中央位置および運転席の真正面の位置に設置されるディスプレイは単一のディスプレイであってもよく、また、異なるディスプレイであってもよい。
【０００８】
操作部１０２は、移動体の運転支援に関する情報（以下、単に「運転支援情報」という。）と、コンテンツ情報とのうち、いずれか一方の情報を選択するように操作する。ここで、操作部１０２は、具体的には、運転者や同乗者などのユーザが直接動かすことができる操作デバイスであり、たとえば、略半球形状としたり、またはレバー状にしたりすることができる。
【０００９】
また、運転支援情報は、たとえば、任意の縮尺の地図データのほか、当該地図データ上における特定地点のサーチ情報、経路探索情報、経路誘導情報などを含む地図情報とすることができる。一方、コンテンツ情報は、光ディスクやＨＤに記録された映画などの動画像や外部から受信されたテレビ番組などの映像コンテンツ、当該映像コンテンツの再生や試聴などの設定情報、光ディスクやＨＤに記録された楽曲や外部から受信されたラジオ放送のラジオ番組などの音声コンテンツ、当該音声コンテンツの再生や試聴などの設定情報、映像コンテンツや音声コンテンツのサーチ情報、ビーコン受信機から受信された交通情報などが含まれる。
【００１０】
このように、選択対象を運転支援情報とコンテンツ情報の２つの情報に区分けすることにより、運転中において必要な運転支援情報のみを、運転者の視線を移動させることなく簡単に表示することができる。また、操作部１０２は、運転支援情報に対応する第１の方向とコンテンツ情報に対応する第２の方向とに摺動自在とすることができる。このように、区分けされた情報（運転支援情報とコンテンツ情報）の選択を、操作部１０２の互いに異なる操作に関連付けたことにより、ユーザは表示したい情報を簡単な操作で選択することができる。
【００１１】
特に、ユーザが運転中の運転者の場合、通常、運転支援情報を確認したいときは進行方向に移動している。したがって、運転支援情報に対応する第１の方向を進行方向と同一の方向とすることにより、運転支援情報を確認したいときの進行方向と操作方向（第１の方向）を無意識のうちに関連付けさせることができ、運転支援情報を選択するための操作を直感的に促すことができる。
【００１２】
また、表示制御部１０３は、表示画面を制御して、操作部１０２を操作することによって選択された情報を表示する。具体的には、操作部１０２を摺動した方向に対応する情報を表示する。すなわち、第１の方向に摺動したときは、表示画面に運転支援情報を表示し、第２の方向に摺動したときは、表示画面にコンテンツ情報を表示する。
【００１３】
また、ユーザ検出部１０４は、ユーザが操作部１０２を操作するか否かを検出する。たとえば、ユーザの手が操作部１０２に接触したり、操作部１０２の近傍に接近したりしたことを検出することができる。このユーザ検出部１０４によって、ユーザが操作部１０２を操作すると検出された場合、表示制御部１０３は、表示画面を制御して、操作部１０２による情報の選択に先立って、運転支援情報のシンボルとコンテンツ情報のシンボルとで表現されるメニュー情報を表示する。ユーザ検出部１０４は赤外線センサあるいは接触センサによって実現することができる。
【００１４】
この場合、操作部１０２は、メニュー情報のシンボルの中から任意のシンボルを選択するように操作することができる。そして、表示制御部１０３は、選択されたシンボルで表現される情報を表示画面に表示する。これにより、ユーザが検出されるまでは所望の情報、たとえば、地図データや映像コンテンツが表示画面に表示されており、ユーザが検出されると、メニュー情報に切り替わる。そして、操作部１０２を第１の方向に摺動したときはメニュー情報内の運転支援情報のシンボルを選択し、第２の方向に摺動したときはメニュー情報内のコンテンツ情報のシンボルを選択することができる。そして、選択されたシンボルで表現される情報を表示画面に表示する。なおシンボルとは、たとえば、表示される情報を直感的に認識することができる図表化されたアイコンによってあらわすことができる。また、表示される情報の名称であらわすこともできる。
【００１５】
また、ユーザ検出部１０４は、操作部１０２を操作するユーザが、移動体の運転者と同乗者のうちいずれの者であるかを検出することもできる。たとえば、略半球状の操作デバイスが運転席と助手席との間に配置されている場合、運転者が操作デバイスをつかんだ状態と、同乗者が操作デバイスをつかんだ状態とでは、接触箇所が異なる。具体的には、運転者と同乗者とでは小指の接触位置が左右対称となるため、小指の先端（たとえば第１関節）の接触位置を検出することによって、操作デバイスをつかんでいるユーザと特定することができる。
【００１６】
また、運転者と同乗者とでは、掌の位置によって接触圧が異なる。具体的には、操作デバイスをつかんだ状態では、親指の付け根にかかる接触圧が他の箇所よりも大きくなる。したがって、感圧センサによって接触圧が高い位置を検出することによっても、ユーザが運転者であるか同乗者であるかを特定することができる。
【００１７】
なお、上述したユーザ検出部１０４は、具体的には、たとえば、赤外線センサ、接触センサ、感圧センサなど各種センサによって実現することができる。このユーザ検出部１０４によって、運転者が操作部１０２を操作すると検出された場合、表示制御部１０３は、少なくとも他の表示画面を制御して、運転支援情報のシンボルと、コンテンツ情報のうち移動体の運転者に適切なコンテンツ情報のシンボルと、で表現されるメニュー情報を表示する。ここで、運転者に適切なコンテンツ情報とは、たとえば、上述した交通情報やラジオ情報、また上述したディスクやＨＤに記録された楽曲などの音声コンテンツ等を指しており、映像コンテンツ等運転者にとって運転中に選択表示することが適切ではないコンテンツ情報等は含まない。
【００１８】
この場合、操作部１０２は、メニュー情報のシンボルの中から任意のシンボルを選択するように操作することができる。そして、表示制御部１０３は、選択されたシンボルで表現される情報を表示画面に表示する。これにより、ユーザが検出されるまでは所望の情報、たとえば、地図データや映像コンテンツが表示画面に表示されており、運転者が検出されると、メニュー情報に切り替わる。そして、操作部１０２を第１の方向に摺動したときはメニュー情報内の運転支援情報のシンボルを選択し、第２の方向に摺動したときはメニュー情報内の運転に関するコンテンツ情報のシンボルを選択することができる。そして、選択されたシンボルで表現される情報を表示画面に表示することができる。
【００１９】
（情報表示装置１００のハードウェア構成）
まず、上述した情報表示装置１００のハードウェア構成について説明する。図２は、情報表示装置１００のハードウェア構成を示すブロック図である。図２において、情報表示装置１００は、ＣＰＵ２０１と、ＲＯＭ２０２と、ＲＡＭ２０３と、ＨＤＤ（ハードディスクドライブ）２０４と、ＨＤ（ハードディスク）２０５と、光ディスクドライブ２０６と、光ディスク２０７と、映像Ｉ／Ｆ（インターフェース）２０８と、ディスプレイ２０９と、音声Ｉ／Ｆ（インターフェース）２１０と、スピーカ２１１と、マイク２１２と、ＧＰＳレシーバ２１３と、移動速度センサ２１４と、角速度センサ２１５と、走行距離センサ２１６と、傾斜センサ２１７と、ビーコン受信機２１８と、通信Ｉ／Ｆ（インターフェース）２１９と、操作デバイス２２０と、ユーザ検出センサ２２１と、から構成されている。また、各構成部２０１〜２２１はバス２００によってそれぞれ接続されている。
【００２０】
ここで、ＣＰＵ２０１は、情報表示装置１００全体の制御を司る。ＲＯＭ２０２は、ブートプログラムなどのプログラムを記憶している。ＲＡＭ２０３は、ＣＰＵ２０１のワークエリアとして使用される。ＨＤＤ２０４は、ＣＰＵ２０１の制御にしたがってＨＤ２０５に対するデータのリード／ライトを制御する。ＨＤ２０５は、ＨＤＤ２０４の制御で書き込まれたデータを記憶する。
【００２１】
光ディスクドライブ２０６は、ＣＰＵ２０１の制御にしたがって光ディスク２０７に対するデータのリード／ライトを制御する。光ディスク２０７は、光ディスクドライブ２０６の制御にしたがって記録されたデータの読み出される着脱自在な記録媒体である。また、光ディスク２０７として、書き込み可能な記録媒体を利用することもできる。また、この着脱可能な記録媒体としては、光ディスク２０７のほか、ＭＯ、メモリーカードなどであってもよい。
【００２２】
また、映像Ｉ／Ｆ２０８は、映像表示用のディスプレイ２０９と接続されている。映像Ｉ／Ｆ２０８は、具体的には、たとえば、ディスプレイ２０９全体の制御をおこなうグラフィックコントローラと、即時表示可能な画像情報を一時的に記憶するＶＲＡＭ（Ｖｉｄｅｏ  ＲＡＭ）などのバッファメモリと、グラフィックコントローラから出力される画像データに基づいて、ディスプレイ２０９を表示制御する制御ＩＣなどによって構成される。
【００２３】
ディスプレイ２０９には、アイコン、カーソル、メニュー、ウィンドウ、あるいは文字や静止画像、動画像等の各種データが表示される。このディスプレイ２０９は、たとえば、ＣＲＴ、ＴＦＴ液晶ディスプレイ、プラズマディスプレイなどを採用することができる。
【００２４】
また、音声Ｉ／Ｆ２１０は、音声出力用のスピーカ２１１に接続される。音声Ｉ／Ｆ２１０は、具体的には、たとえば、音声ディジタルデータのＤ／Ａ変換を行うＤ／Ａコンバータと、Ｄ／Ａコンバータから出力される音声アナログ信号を増幅する増幅器と、音声アナログデータのＡ／Ｄ変換をおこなうＡ／Ｄコンバータと、から構成されている。また、スピーカ２１１は増幅器で増幅された音声を出力する。マイク２１２は外部からの音声を音声アナログ信号として音声Ｉ／Ｆ２１０のＡ／Ｄコンバータに入力する。
【００２５】
また、ＧＰＳレシーバ２１３は、ＧＰＳ衛星からの電波を受信して装置本体の現在位置を求めるものである。移動速度センサ２１４は、移動体の移動速度を検出する。移動体が自動車である場合、トランスミッションの出力側シャフトから検出する。また、角速度センサ２１５は、自車の回転時の角速度を検出し、角速度データと相対方位データとを出力する。走行距離センサ２１６は、車輪の回転に伴って出力される所定周期のパルス信号のパルス数をカウントすることによって車輪一回転当たりのパルス数を算出し、その一回転当たりのパルス数に基づく走行距離データを出力する。傾斜センサ２１７は、路面の傾斜角度を検出し、傾斜角データを出力する。
【００２６】
ビーコン受信機２１８は、ＶＩＣＳセンターで処理された渋滞や交通規制に関する交通情報を受信する。受信された交通情報は、映像データとしてディスプレイ２０９に表示したり、音声データとしてスピーカ２１１から出力することができる。また、通信Ｉ／Ｆ２１９は、セル基地局を介して通信サーバと無線通信をおこなう通信モジュールである。通信Ｉ／Ｆ２１９は、外部との通信をおこなうインターフェースである。たとえば、テレビ放送局やラジオ放送局からの電波を受信する。また、情報表示装置１００が通信ナビゲーション機能を有する場合には、所定の通信方式により通信サーバから地図データを受信する。
【００２７】
操作デバイス２２０は、ユーザからの各種入力操作をおこなう。ユーザ検出センサ２２１は、赤外線センサ、接触センサ、感圧センサなどによって構成され、ユーザが操作デバイス２２０を操作するか、あるいはどのユーザが操作デバイス２２０を操作するかを検出することができる。
【００２８】
このように、この発明の実施の形態にかかる情報表示装置１００は、メニュー情報（メニュー画面）において、運転支援情報のシンボルとコンテンツ情報のシンボルとが混ざっておらず区分けされているため、運転支援情報を表示させたいときは、簡単な操作で表示することができる。同様に、コンテンツ情報を表示するときも簡単な操作で表示することができる。特に、操作するユーザが運転者である場合、視線移動することなく簡単に所望の表示をおこなうことができるため、より安全な運転を実現することができる。
【００２９】
ここで、上述した実施の形態で説明した機能ブロック図（図１）との対応関係について説明する。表示部１０１は、ディスプレイ２０９によってその機能を実現することができる。また、操作部１０２は、操作デバイス２２０によってその機能を実現することができる。また、表示制御部１０３は、映像Ｉ／Ｆ２０８によって、または、ＲＯＭ２０２、ＲＡＭ２０３、ＨＤ２０５、光ディスク２０７などの記録媒体に記録されたプログラムを、ＣＰＵ２０１が実行することによってその機能を実現することができる。また、ユーザ検出部１０４は、ユーザ検出センサ２２１によってその機能を実現することができる。
【実施例１】
【００３０】
（情報表示装置の外観構成）
つぎに、実施例１にかかる情報表示装置の外観構成について説明する。図３は、実施例１にかかる情報表示装置の外観構成を示す説明図である。図３において、情報表示装置は、自動車などの移動体内に設けられる。前部座席の正面には、ダッシュボード３０１が設けられている。
【００３１】
このダッシュボード３０１の中央にはメインディスプレイ３０２が配置されている。また、運転席の真正面には、サブディスプレイ３０３が配置されている。メインディスプレイ３０２およびサブディスプレイ３０３の表示内容については後述する。さらに、ダッシュボード３０１の左右両端にもディスプレイ３０４，３０５が配置されている。このディスプレイ３０４，３０５は、各サイドミラーに取り付けられたカメラからの映像を表示する。これにより、降雨または降雪などの悪天候時においても、移動体の両側後方を、車内から鮮明に視認することができる。また、運転席と助手席との間には、略半球形状の操作デバイス３０６が設けられている。
【００３２】
ここで、操作デバイス３０６について説明する。図４は、操作デバイス３０６を示す平面図である。図４において、操作デバイス３０６は、進行方向Ｆ、後退方向Ｂおよび左方向Ｌ、右方向Ｒの４方向に摺動自在とされている。また、操作デバイス３０６は、ユーザが任意の方向に摺動操作しても、操作デバイス３０６を離すことにより、中央位置に復帰する構成とされている。また、操作デバイス３０６には、表示したい情報を決定する決定ボタン４０１や、表示画面の情報を選択するための選択ボタン４０２などが設けられている。さらに、操作デバイス３０６には赤外線センサ４０３が設けられており、ユーザ、具体的にはユーザの掌が操作デバイス３０６に接触したことを検出することができる。
【００３３】
つぎに、メインディスプレイ３０２の表示内容について説明する。図５は、メインディスプレイ３０２の表示内容を示す説明図である。図５において、メインディスプレイ３０２は、第１〜第３の表示領域５０１〜５０３を有している。第１の表示領域５０１には、移動体の挙動および内部環境に関する情報や時刻情報が表示されている。
【００３４】
移動体の挙動としては、たとえば、エンジンの回転数を示すタコメータ、移動体の速度をあらわす速度表示情報、ガソリンの残量を示すフューエルメータ、現在のギアの状態を示すギアインジケータが表示されている。移動体の内部環境としては、たとえば、エアコンディショナーの設定温度や風向情報が表示されている。なお、第１の表示領域５０１の表示内容は、移動体の運転に必要な情報であるため、他の情報に切り替わることはない。
【００３５】
また、第２の表示領域５０２には、地図に関する情報、または、映像または音声に関するコンテンツ情報が表示される。ここで、地図に関する情報とは、たとえば、地図データや任意の地点のサーチ情報である。図５においては、現在位置マーク５２１および所定の縮尺における現在位置周辺の地図データ５２２が表示されている。
【００３６】
一方、コンテンツ情報には、映画、テレビ番組などの映像コンテンツの再生映像のほか、当該映像コンテンツの再生、試聴、早送り、逆送りなどの設定情報、映像コンテンツのリスト情報、番組プログラムなどが含まれる。また、楽曲、ラジオ放送などの音声コンテンツの再生、試聴、早送り、逆送りの設定情報、音声コンテンツのリスト情報、番組プログラムなどが含まれる。また、図５において、第２の表示領域５０２の下端縁には映像コンテンツ情報のシンボルをあらわす各種アイコンが表示されている。
【００３７】
また、第３の表示領域５０３には、コンテンツ情報の内容を示す簡易情報が表示される。たとえば、図５においては、コンテンツ情報としてＡＭラジオ放送が選局されているため、放送局名、周波数、イコライザが表示されている。
【００３８】
つぎに、サブディスプレイ３０３の表示内容について説明する。図６はサブディスプレイ３０３の表示内容を示す説明図である。図６において、サブディスプレイ３０３には、３Ｄ地図データ６００が表示されている。この３Ｄ地図データ６００は、図５に示したメインディスプレイ３０２の第２の表示領域５０２に表示されている地図データ５２２における現在位置からの前方の視界を表現した地図データである。すなわち、サブディスプレイ３０３には、運転に必要な第２の表示領域５０２に表示される情報の簡易情報を表示することができる。
【００３９】
つぎに、メインディスプレイ３０２の他の表示内容について説明する。図７は、メインディスプレイ３０２の他の表示内容を示す説明図である。図７に示した表示画面の表示内容は、ユーザ検出センサ２２１によってユーザが操作デバイス３０６を操作することが検出された場合における表示内容である。具体的には、第１の表示領域５０１および第３の表示領域５０３の表示内容は、図５に示した表示内容と同一であり、第２の表示領域５０２の表示内容のみが切り替わっている。
【００４０】
すなわち、第２の表示領域５０２においては、メニュー情報７００が表示されている。第２の表示領域５０２において、点線で囲まれている範囲はフォーカス領域７０１である。図７において、フォーカス領域７０１にはニュートラルアイコン７１１が表示されている。ここで、アイコンの変化について説明する。図８は、アイコンの変化を示す説明図である。図８において、アイコンには、ニュートラルアイコン７１１のほか、運転支援情報を表示するための運転支援情報アイコン８０１と、コンテンツ情報を表示するためのコンテンツ情報アイコン８０２に区分けされている。
【００４１】
この運転支援情報アイコン８０１としては、地図データを表示する地図アイコン８１１と、地図データ上の特定地点をサーチするための地点サーチアイコン８１２がある。この地図アイコン８１１と地点サーチアイコン８１２は、操作デバイス３０６を進行方向に摺動することによってフォーカス領域７０１に表示することができる。そして、操作デバイス３０６の決定ボタン４０１を押下することにより、フォーカス領域７０１に表示されているアイコンで表現されている情報を表示することができる。たとえば、フォーカス領域７０１に地図アイコン８１１が表示されている場合、決定ボタン４０１を押下することによって、地図データを表示することができる。また、フォーカス領域７０１に地点サーチアイコン８１２が表示されている場合、決定ボタン４０１を押下することによって、地点サーチ設定画面を表示することができる。
【００４２】
また、コンテンツ情報アイコン８０２には、さらに、コンテンツ情報のソースをあらわすソースアイコン８２０と、コンテンツ情報の中から任意のコンテンツをサーチするためのコンテンツサーチアイコン８３０と、に区分けされている。ソースアイコン８２０には、たとえば、ソースアイコン８２１、テレビアイコン８２２、交通情報アイコン８２３、ＦＭ放送アイコン８２４、ＡＭ放送アイコン８２５、ＨＤアイコン８２６、メモリアイコン８２７がある。
【００４３】
ソースアイコン８２０については、操作デバイス３０６を左右方向に摺動することによって、左右方向に回転し、決定デバイスを押下することによって、フォーカス領域７０１に表示されているアイコンで表現されているコンテンツ情報を表示する。
【００４４】
たとえば、ＤＶＤアイコン８２１の場合は光ディスクドライブ２０６に挿入されているＤＶＤの映像コンテンツ、テレビアイコン８２２の場合は現在受信したテレビ番組、交通情報アイコン８２３の場合はビーコン受信機２１８から受信した交通情報、ＦＭ放送アイコン８２４の場合は現在受信したＦＭ放送の番組、ＡＭ放送アイコン８２５の場合は現在受信したＡＭ放送の番組、ＨＤアイコン８２６の場合はＨＤ２０５に記録されているコンテンツ、メモリアイコン８２７の場合は、メモリに記録されているコンテンツを表示することができる。
【００４５】
また、ソースアイコン８２０を回転させる場合、フォーカス領域７０１に位置するソースアイコン８２０の種類に応じて、第３の表示領域５０３を切り替えることができる。たとえば、ソースアイコン８２１がフォーカス領域７０１に位置する場合、ＤＶＤに記録されているコンテンツのタイトル名、再生時間、チャプター数などの簡易情報を表示することができる。そして、ユーザはこの第３の表示領域５０３に表示された簡易情報を見てから決定ボタン４０１を押下するか否かを判断することができる。
【００４６】
また、コンテンツサーチアイコン８０３がフォーカス領域７０１に位置する場合、決定ボタン４０１を押下することで、ＤＶＤ、ＨＤ、メモリなどに記録されているコンテンツの中から任意のコンテンツをサーチするための設定画面を表示することができる。
【００４７】
つぎに、サブディスプレイ３０３の他の表示内容について説明する。図９はサブディスプレイ３０３の他の表示内容を示す説明図である。図９において、サブディスプレイ３０３の表示画面の表示内容は、ユーザ検出センサ２２１によってユーザが操作デバイス３０６を操作することが検出された場合における表示内容である。具体的には、図７に示したメインディスプレイ３０２の第２の表示領域５０２と同一のメニュー情報９００が表示されている。これにより、運転者は、前方からメインディスプレイ３０２に視線移動をしなくても、前方を見ながら所望の情報を選択することができる。
【００４８】
（情報表示処理手順）
つぎに、実施例１にかかる情報表示処理手順について説明する。図１０は、実施例１にかかる情報表示処理手順を示すフローチャートである。図１０において、まず、ユーザ検出センサ２２１によってユーザが検出された場合（ステップＳ１００１：Ｙｅｓ）、図７および図９に示したように、メインディスプレイ３０２の第２の表示領域およびサブディスプレイ３０３に、メニュー情報を表示する（ステップＳ１００２）。
【００４９】
つぎに、操作デバイス３０６を操作する。操作方向が進行方向Ｆの場合（ステップＳ１００３：進行方向）、フォーカス領域７０１に運転支援情報アイコン（地図アイコン８１１または地点サーチアイコン８１２）を表示する（ステップＳ１００４）。なお、フォーカス領域７０１に地点サーチアイコン８１２が表示されている場合、操作デバイス３０６を後退方向Ｂに摺動することにより、フォーカス領域７０１に地図アイコン８１１を表示することができる。
【００５０】
そして、操作デバイス３０６の決定ボタン４０１の押下があった場合（ステップＳ１００５：Ｙｅｓ）、メインディスプレイ３０２の第２の表示領域５０２およびサブディスプレイ３０３に、フォーカス領域７０１に表示されているアイコンで表現される運転支援情報を表示する（ステップＳ１００６）。たとえば、フォーカス領域７０１に地図アイコン８１１が表示されているときに決定ボタン４０１を押下した場合、第２の表示領域５０２は、図７に示したようなメニュー情報７００から図５に示したような地図データ５２２に表示を切り替え、サブディスプレイ３０３についても、図９に示したようなメニュー情報９００から図６に示したような３Ｄ地図データ６００に表示を切り替える。
【００５１】
また、ステップＳ１００３において、操作デバイス３０６の操作方向が左方向Ｌまたは右方向Ｒである場合（ステップＳ１００３：左右方向）、ソースアイコン８２０を左右方向に回転表示する（ステップＳ１００７）。そして、操作デバイス３０６の決定ボタン４０１の押下があった場合（ステップＳ１００８：Ｙｅｓ）、メインディスプレイ３０２の第２の表示領域５０２に、フォーカス領域７０１に表示されているソースアイコン８２０で表現されるコンテンツ情報を表示する（ステップＳ１００９）。なお、サブディスプレイ３０３には、当該コンテンツ情報の表示に切り替えず、図６に示したような現在位置周辺の３Ｄ地図データ６００に切り替えて表示する。
【００５２】
また、ステップＳ１００３において、操作デバイス３０６の操作方向が後退方向Ｂである場合（ステップＳ１００３：後退方向）、フォーカス領域７０１にコンテンツサーチアイコンを表示する（ステップＳ１０１０）。そして、操作デバイス３０６の決定ボタン４０１の押下があった場合（ステップＳ１０１１：Ｙｅｓ）、メインディスプレイ３０２の第２の表示領域５０２に、コンテンツサーチの設定画面を表示する（ステップＳ１０１２）。
【００５３】
そして、電源ＯＮの場合（ステップＳ１０１３：Ｎｏ）、ステップＳ１００１に移行する。一方、電源ＯＦＦになった場合（ステップＳ１０１３：Ｙｅｓ）、一連の処理を終了する。
【００５４】
この実施例１によれば、運転支援情報を表示させたいときは、簡単な操作で表示することができる。同様に、コンテンツ情報を表示するときも簡単な操作で表示することができる。特に、操作するユーザが運転者である場合、視線移動することなく簡単に所望の表示をおこなうことができるため、より安全な運転を実現することができる。
【実施例２】
【００５５】
つぎに、この発明の実施の形態にかかる情報表示装置の実施例２について説明する。実施例１では、ユーザが操作デバイス３０６を操作するか否かを検出することによって、メニュー情報などを表示する構成であったが、実施例２は、操作デバイス３０６を操作するユーザが運転者か同乗者かを検出することによって、メニュー情報７００，９００で表示されるアイコンを制限する例である。なお、その他の構成については実施例１と同一であるため、その説明を省略する。
【００５６】
操作デバイス３０６を操作するユーザが運転者であると検出された場合、メニュー情報７００，９００の中から運転中に選択するのが不適切と考えられるアイコンをあらかじめ非表示にして、選択させないようにする。これにより、運転に必要な情報のみを選択対象とすることができ、操作デバイス３０６の操作中であっても運転に集中することができる。
【００５７】
ここで、運転中に選択するのが不適切と考えられる情報としては、ＤＶＤやＨＤ、メモリに記録されている映像コンテンツ、テレビ番組など、映像を注視する必要のある情報である。また、運転に必要な情報としては、交通情報やＦＭ放送、ＡＭ放送である。なお、ＣＤやＨＤ、メモリに記録されている楽曲などの音声コンテンツについては、設定により、運転に必要な情報として取り入れることができる。
【００５８】
ここで、ユーザが運転者である場合のメニュー情報について説明する。図１１は、実施例２にかかるアイコンの変化を示す説明図である。図１１において、アイコンには、ニュートラルアイコン７１１のほか、運転支援情報を表示するための運転支援情報アイコン８０１と、コンテンツ情報を表示するためのコンテンツ情報アイコン８０２に区分けされている。
【００５９】
図８と比較すると、ソースアイコン８２０には、たとえば、交通情報アイコン８２３、ＦＭ放送アイコン８２４、ＡＭ放送アイコン８２５がある。これらは運転に必要な情報のアイコンである。一方、図８で示したソースアイコン８２１、テレビアイコン８２２、ＨＤアイコン８２６、メモリアイコン８２７は、メニュー情報として表示されない。また、コンテンツサーチアイコン８３０もメニュー情報として表示されない。
【００６０】
（情報表示処理手順）
つぎに、実施例２にかかる情報表示処理手順について説明する。図１２は、実施例２にかかる情報表示処理手順を示すフローチャートである。図１２において、まず、ユーザ検出センサ２２１によってユーザが検出された場合（ステップＳ１２０１：Ｙｅｓ）、検出されたユーザが同乗者である場合（ステップＳ１２０２：同乗者）、通常の表示処理をおこなう（ステップＳ１２０３）。この通常の表示処理とは、実施例１の図１０に示したＳ１００２〜Ｓ１０１２までの処理手順である。すなわち同乗者に関しては、メニュー情報の制限はなく、すべてのコンテンツ情報を選択することができる。
【００６１】
一方、検出されたユーザが運転者である場合（ステップＳ１２０２：運転者）、メインディスプレイ３０２の第２の表示領域５０２とサブディスプレイ３０３に、図１１で示したアイコンのみを表示可能なメニュー情報を表示する（ステップＳ１２０４）。図１３は、ステップＳ１２０４でメインディスプレイ３０２に表示される表示画面例である。図７と比較すると、メニュー情報１３００は、テレビアイコン８２２や「Ｃｏｎｔｅｎｓ  ｓｅａｒｃｈ」の文字が表示されていない。また、図１４は、ステップＳ１２０４でサブディスプレイ３０３に表示される表示画面例である。図９と比較すると、メニュー情報１４００は、ソースアイコン８２１、テレビアイコン８２２、ＨＤアイコン８２６、メモリアイコン８２７が表示されていない。
【００６２】
つぎに、操作デバイス３０６を操作する。操作方向が進行方向Ｆの場合（ステップＳ１２０５：進行方向）、フォーカス領域７０１に運転支援情報アイコン（地図アイコン８１１または地点サーチアイコン８１２）を表示する（ステップＳ１２０６）。なお、フォーカス領域７０１に地点サーチアイコン８１２が表示されている場合、操作デバイス３０６を後退方向Ｂに摺動することにより、フォーカス領域７０１に地図アイコン８１１を表示することができる。
【００６３】
そして、操作デバイス３０６の決定ボタン４０１の押下があった場合（ステップＳ１２０７：Ｙｅｓ）、メインディスプレイ３０２の第２の表示領域５０２およびサブディスプレイ３０３に、フォーカス領域７０１に表示されているアイコンで表現される運転支援情報を表示する（ステップＳ１２０８）。たとえば、フォーカス領域７０１に地図アイコン８１１が表示されているときに決定ボタン４０１を押下した場合、第２の表示領域５０２は、図１３に示したようなメニュー情報１３００から図５に示したような地図データ５２２に表示を切り替え、サブディスプレイ３０３についても、図１４に示したようなメニュー情報１４００から図６に示したような３Ｄ地図データ６００に表示を切り替える。
【００６４】
また、ステップＳ１２０５において、操作デバイス３０６の操作方向が左方向Ｌまたは右方向Ｒである場合（ステップＳ１２０５：左右方向）、ソースアイコン８２０を左右方向に回転表示する（ステップＳ１２０９）。そして、操作デバイス３０６の決定ボタン４０１の押下があった場合（ステップＳ１２１０：Ｙｅｓ）、メインディスプレイ３０２の第２の表示領域５０２に、フォーカス領域７０１に表示されているソースアイコン８２０で表現されるコンテンツ情報を表示する（ステップＳ１２１１）。
【００６５】
そして、電源ＯＮの場合（ステップＳ１２１２：Ｎｏ）、ステップＳ１２０１に移行する。一方、電源ＯＦＦになった場合（ステップＳ１２１２：Ｙｅｓ）、一連の処理を終了する。
【００６６】
この実施例２によれば、ユーザが運転者である場合、選択できるコンテンツ情報の内容を制限することができるため、運転者は運転中であっても、運転に必要な情報の中から所望の情報を視線移動することなく簡単に選択して表示することができる。
【００６７】
なお、上述した実施例２において、ステップＳ１２０２で運転者であることが検出された場合、自動車の速度情報あるいはギアの位置に応じて、メニュー情報の表示を制限することとしても良い。具体的には、移動速度が所定速度以下、たとえば０の場合、自動車は停止しているため、運転者であると検出されても、ステップＳ１２０３で示したように同乗者と同じ表示処理を実行することとしてもよい。また、速度が０の場合、信号待ちなどで一時停止していることも考えられるため、ギアがニュートラルまたはパーキングの場合にのみ、運転者であると検出されても、ステップＳ１２０３で示したように同乗者と同じ表示処理を実行することとしてもよい。
【００６８】
なお、本実施の形態で説明した情報表示方法は、予め用意されたプログラムをパーソナル・コンピュータやワークステーション等のコンピュータで実行することにより実現することができる。このプログラムは、ハードディスク、フレキシブルディスク、ＣＤ−ＲＯＭ、ＭＯ、ＤＶＤ等のコンピュータで読み取り可能な記録媒体に記録され、コンピュータによって記録媒体から読み出されることによって実行される。またこのプログラムは、インターネット等のネットワークを介して配布することが可能な伝送媒体であってもよい。
【図面の簡単な説明】
【００６９】
【図１】実施の形態にかかる情報表示装置の機能的構成を示すブロック図である。
【図２】実施の形態にかかる情報表示装置のハードウェア構成を示すブロック図である。
【図３】実施例１にかかる情報表示装置の外観構成を示す説明図である。
【図４】操作デバイスを示す平面図である。
【図５】メインディスプレイの表示内容を示す説明図である。
【図６】サブディスプレイの表示内容を示す説明図である。
【図７】メインディスプレイの他の表示内容を示す説明図である。
【図８】アイコンの変化を示す説明図である。
【図９】サブディスプレイの他の表示内容を示す説明図である。
【図１０】実施例１にかかる情報表示処理手順を示すフローチャートである。
【図１１】実施例２にかかるアイコンの変化を示す説明図である。
【図１２】実施例２にかかる情報表示処理手順を示すフローチャートである。
【図１３】ステップＳ１２０４でメインディスプレイに表示される表示画面例を示す説明図である。
【図１４】ステップＳ１２０４でサブディスプレイに表示される表示画面例を示す説明図である。
【符号の説明】
【００７０】
１００  情報表示装置
１０１  表示部
１０２  操作部
１０３  表示制御部
１０４  ユーザ検出部
【図１】
2006103473.tif 000003
【図２】
2006103473.tif 000004
【図３】
2006103473.tif 000005
【図４】
2006103473.tif 000006
【図５】
2006103473.tif 000007
【図６】
2006103473.tif 000008
【図７】
2006103473.tif 000009
【図８】
2006103473.tif 000010
【図９】
2006103473.tif 000011
【図１０】
2006103473.tif 000012
【図１１】
2006103473.tif 000013
【図１２】
2006103473.tif 000014
【図１３】
2006103473.tif 000015
【図１４】
2006103473.tif 000016